(57)【要約】【課題】開閉扉の前進過程において、遊技球が開閉扉と前扉の透明板との間に噛み込まれても、当該遊技球の噛み込みを強制的に解消するようにした可変入賞口装置及びこの可変入賞口装置を備えたパチンコ遊技機を提供する。【解決手段】開閉扉の前進過程において、開閉扉２２０の前縁部２２３が、ガラス板ＦＤ２の裏面から後方へ遊技球の外径に相当する距離まで前進すると、開閉扉２２０の係合ピン２２１ａが、軸状部材３１０の蛇行状溝部３１１の中側湾曲状溝部３１１ｂ内に係合し、槌部材３００ａが、軸状部材３１０と共に最大回動位置まで回動して、槌３２０の先端部３２２ａを開閉扉２２０の前縁部２２３の左側部とガラス板ＦＤ２の裏面との間に進入させる。【選択図】図１３
2012045141.tif 000002
【特許請求の範囲】
【請求項１】
パチンコ遊技機の遊技盤にその盤面から前扉の透明板に向けて突出するように設けられて前記盤面の少なくとも上方に向けて開口するように下方に向けて凹な形状にて凹所を設けてなる入賞口部材と、
当該入賞口部材の前記凹所の上側にて前後方向に移動可能に設けられて当該凹所を前方への移動により閉じ後方への移動により遊技球の入賞可能に開く平板状開閉扉と、
この開閉扉を前進或いは後退するように駆動する駆動手段とを備える可変入賞口装置において、
前記遊技盤のうち前記開閉扉の左右方向一側部の近傍部位に前後方向に沿うように回動可能に支持される軸状部材と、
この軸状部材の前端部にその軸周りに回動可能に支持されて前記開閉扉と前記透明板との間に進入可能に槌部を設けてなる槌とを備えて、
前記軸状部材及び前記開閉扉の前記左右方向一側部が、その各対向部位にて、前記開閉扉の前進に伴い前記軸状部材を回動させるように構成されていることを特徴とする可変入賞口装置。
【請求項２】
前記開閉扉の前進過程において、当該開閉扉の前縁部が前記透明板の裏面から後方へ所定距離の位置に達する前には、前記軸状部材は、前記槌を前記槌部にて前記開閉扉と前記透明板との間の外側に位置させ、前記開閉扉の前縁部が前記所定距離に達すると、前記軸状部材は、その一方向への回動により、前記槌を前記槌部にて前記開閉扉と前記透明板との間に進入させ、その後の前記開閉扉の前進に伴い、前記軸状部材は、その他方向への回動により、前記槌部を前記開閉扉と前記透明板との間の外側に戻すようにしたことを特徴とする請求項１に記載の可変入賞口装置。
【請求項３】
前記軸状部材は、その外周面に前後方向に沿い形成してなる蛇行状溝部であってその前後方向中間部位にて前記外周面の周方向へ湾曲する湾曲状溝部を有する蛇行状溝部を具備してなり、
前記開閉扉の前記左右方向一側部は、その前側部位にて、突起を前記軸状部材の前記蛇行状溝部内に移動可能に係合するように延出させてなり、
前記開閉扉の前進過程において、前記軸状部材は、前記蛇行状溝部の前記湾曲状溝部よりも後方部位内への前記突起の係合のもとに、前記槌を前記槌部にて前記開閉扉と前記透明板との間の外側に位置させ、前記蛇行状溝部の前記湾曲状溝部内への前記突起の係合により、一方向へ回動して、前記槌を前記槌部にて前記開閉扉と前記透明板との間に進入させ、その後の前記開閉扉の前進に伴い、前記軸状部材は、前記蛇行状溝部の前記湾曲状溝部よりも前方部位内への前記突起の係合により、他方向へ回動して、前記槌部を前記開閉扉と前記透明板との間の外側に戻すようにしたことを特徴とする請求項２に記載の可変入賞口装置。
【請求項４】
前記開閉扉の前記左右方向一側部は、その側面に前後方向に沿い形成してなる蛇行状溝部であってその前後方向中間部位にて前記側面の上方或いは下方へ湾曲する湾曲状溝部を有する蛇行状溝部を具備してなり、
前記軸状部材は、その前側部位にて、突起を前記開閉扉の前記左右方向一側部の前記蛇行状溝部内に相対的に移動可能に係合するように延出させてなり、
前記開閉扉の前進過程において、前記軸状部材は、前記蛇行状溝部の前記湾曲状溝部よりも後方部位内への前記突起の係合のもとに、前記槌を前記槌部にて前記開閉扉と前記透明板との間の外側に位置させ、前記蛇行状溝部の前記湾曲状溝部内への前記突起の係合により、一方向へ回動して、前記槌を前記槌部にて前記開閉扉と前記透明板との間に進入させ、その後の前記開閉扉の前進に伴い、前記軸状部材は、前記蛇行状溝部の前記湾曲状溝部よりも前方部位内への前記突起の係合により、他方向へ回動して、前記槌部を前記開閉扉と前記透明板との間の外側に戻すようにしたことを特徴とする請求項２に記載の可変入賞口装置。
【請求項５】
前記所定距離は、遊技球の外径の±１０％の範囲内に相当する距離であることを特徴とする請求項２〜４のいずれか１つに記載の可変入賞口装置。
【請求項６】
請求項１〜５のいずれか１つに記載の可変入賞口装置を備えて、
当該可変入賞口装置を前記遊技盤にその盤面側から設けるようにしたパチンコ遊技機。
【発明の詳細な説明】
【技術分野】
【０００１】
本発明は、可変入賞口装置及びこの可変入賞口装置を備えたパチンコ遊技機に関する。
【背景技術】
【０００２】
従来、この種のパチンコ遊技機においては、下記特許文献１に記載されたパチンコ遊技機が提案されている。このパチンコ遊技機においては、第１開閉装置が、大入賞口装置として、遊技盤の盤面に設けられている。
【０００３】
ここで、当該第１開閉装置は、遊技盤の前後方向に進退可能な第１大入賞口開閉扉と、この第１大入賞口開閉扉の直下に位置する第１大入賞口とを備えている。
【０００４】
このように構成した第１開閉装置においては、第１大入賞口開閉扉が、遊技盤の前方から後方に向け移動することで、第１大入賞口を開き、また、遊技盤の後方から前方に向け移動することで、第１大入賞口を閉じるようになっている。
【先行技術文献】
【特許文献】
【０００５】
【特許文献１】特開２００８−３０７３１５号公報（特に、段落番号「０２３３」〜段落番号「０２４４」の各欄の記載及び図４４〜図４６の各記載参照）
【発明の概要】
【発明が解決しようとする課題】
【０００６】
しかし、上述したパチンコ遊技機の第１開閉装置においては、第１大入賞口を閉じるにあたり、第１大入賞口開閉扉は、遊技盤の後方から前方に向け移動することで、前扉のガラス板に向けて進むこととなる。
【０００７】
このような段階にて、遊技球が遊技盤の盤面に沿い降下すると、当該遊技球が、前扉のガラス板と第１大入賞口開閉扉との間に噛み込まれて、第１大入賞口開閉扉の前方への移動を妨げる事態が発生する。その結果、第１大入賞口を正しく閉じることができないというおそれが発生する。
【０００８】
そこで、本発明は、以上のようなことに対処するため、開閉扉の前進過程において、遊技球が開閉扉と前扉の透明板との間に噛み込まれても、当該遊技球の噛み込みを強制的に解消するようにした可変入賞口装置及びこの可変入賞口装置を備えたパチンコ遊技機を提供することを目的とする。
【課題を解決するための手段】
【０００９】
上記課題の解決にあたり、本発明に係る可変入賞口装置は、請求項１の記載によれば、
パチンコ遊技機の遊技盤（１０）にその盤面（１１）から前扉（ＦＤ）の透明板（ＦＤ２）に向けて突出するように設けられて上記盤面の少なくとも上方に向けて開口するように下方に向けて凹な形状にて凹所（２１１）を設けてなる入賞口部材（２１０）と、
当該入賞口部材の上記凹所の上側にて前後方向に移動可能に設けられて当該凹所を前方への移動により閉じ後方への移動により遊技球の入賞可能に開く平板状開閉扉（２２０）と、
この開閉扉を前進或いは後退するように駆動する駆動手段とを備える。
【００１０】
当該可変入賞口装置において、
遊技盤のうち開閉扉の左右方向一側部（２２１）の近傍部位に前後方向に沿うように回動可能に支持される軸状部材（３１０）と、
この軸状部材の前端部にその軸周りに回動可能に支持されて開閉扉と透明板との間に進入可能に槌部（３２２）を設けてなる槌（３２０）とを備えて、
軸状部材及び開閉扉の上記左右方向一側部が、その各対向部位にて、開閉扉の前進に伴い軸状部材を回動させるように構成されていることを特徴とする。
【００１１】
これによれば、軸状部材及び開閉扉の上記左右方向一側部が、その各対向部位にて、開閉扉の前進に伴い軸状部材を回動させるように構成されることで、槌がその槌部にて、開閉扉の前進過程において、開閉扉と透明板との間に進入することとなる。
【００１２】
従って、槌部の開閉扉と透明板との間への進入に先立ち、落下する遊技球が、開閉扉の前進過程において、この開閉扉と透明板との間に噛み込まれても、当該遊技球は、開閉扉と透明板との間に進入する槌部により、開閉扉と透明板との間から押し出される。その結果、遊技球の開閉扉と透明板との間への噛み込みが解消され得る。
【００１３】
ここで、上述のように軸状部材及び開閉扉の上記左右方向一側部が、その各対向部位にて、開閉扉の前進に伴い軸状部材を回動させるように構成されているから、槌が開閉扉の前進に応じて上記噛み込みを解消するように動作する。このことは、なんら電気的制御に依存することなく、遊技球の上記噛み込みを機械的に解消し得ることを意味する。
【００１４】
また、本発明は、請求項２の記載によれば、請求項１に記載の可変入賞口装置において、
開閉扉の前進過程において、当該開閉扉の前縁部（２２３）が透明板の裏面から後方へ所定距離の位置に達する前には、軸状部材は、槌を上記槌部にて開閉扉と透明板との間の外側に位置させ、開閉扉の前縁部が上記所定距離に達すると、軸状部材は、その一方向への回動により、槌を上記槌部にて開閉扉と透明板との間に進入させ、その後の開閉扉の前進に伴い、軸状部材は、その他方向への回動により、上記槌部を開閉扉と透明板との間の外側に戻すようにしたことを特徴とする。
【００１５】
これによれば、開閉扉の前進過程において、開閉扉の前縁部が上記所定距離に達するタイミングにて、槌は、槌部を開閉扉と透明板との間に進入させるので、この進入に先立ち、落下遊技球が開閉扉と透明板との間に噛み込まれても、当該遊技球は、開閉扉と透明板との間に進入する槌により、上記タイミングにて開閉扉と透明板との間から押し出されて上記噛み込みから解消され得る。
【００１６】
また、この噛み込みの解消後には、開閉扉の前進に伴い、槌部を開閉扉と透明板との間の外側に戻すから、開閉扉は、槌部により邪魔されることなく、円滑に前進し得る。
【００１７】
また、本発明は、請求項３の記載によれば、請求項２に記載の可変入賞口装置において、
軸状部材は、その外周面に前後方向に沿い形成してなる蛇行状溝部であってその前後方向中間部位にて上記外周面の周方向へ湾曲する湾曲状溝部（３１１ｂ）を有する蛇行状溝部（３１１）を具備してなり、
開閉扉の上記左右方向一側部は、その前側部位にて、突起（２２１ａ）を軸状部材の上記蛇行状溝部内に移動可能に係合するように延出させてなり、
開閉扉の前進過程において、軸状部材は、上記蛇行状溝部の上記湾曲状溝部よりも後方部位内への上記突起の係合のもとに、槌を上記槌部にて開閉扉と透明板との間の外側に位置させ、上記蛇行状溝部の上記湾曲状溝部内への上記突起の係合により、一方向へ回動して、槌を上記槌部にて開閉扉と透明板との間に進入させ、その後の開閉扉の前進に伴い、軸状部材は、上記蛇行状溝部の上記湾曲状溝部よりも前方部位内への上記突起の係合により、他方向へ回動して、上記槌部を開閉扉と透明板との間の外側に戻すようにしたことを特徴とする。
【００１８】
これによれば、上述のように、軸状部材が、湾曲状溝部を有する蛇行状溝部を具備し、開閉扉の左右方向一側部は突起を延出させてなるから、開閉扉の前縁部が上記所定距離に達したときには、槌は、突起の湾曲状溝部内への係合のもとに、槌部を開閉扉と透明板との間に進入させる。
【００１９】
従って、この進入に先立ち、落下する遊技球が、開閉扉と透明板との間に噛み込まれても、開閉扉の前縁部が上記所定距離に達したときに、当該遊技球は、タイミングよく、開閉扉と透明板との間に進入する槌部により、開閉扉と透明板との間から押し出される。その結果、遊技球の開閉扉と透明板との間への噛み込みがタイミングよく解消され得る。
【００２０】
また、本発明は、請求項４の記載によれば、請求項２に記載の可変入賞口装置において、
開閉扉の上記左右方向一側部は、その側面に前後方向に沿い形成してなる蛇行状溝部であってその前後方向中間部位にて上記側面の上方或いは下方へ湾曲する湾曲状溝部を有する蛇行状溝部を具備してなり、
軸状部材は、その前側部位にて、突起を開閉扉の上記左右方向一側部の上記蛇行状溝部内に相対的に移動可能に係合するように延出させてなり、
開閉扉の前進過程において、軸状部材は、上記蛇行状溝部の上記湾曲状溝部よりも後方部位内への上記突起の係合のもとに、槌を上記槌部にて開閉扉と透明板との間の外側に位置させ、上記蛇行状溝部の上記湾曲状溝部内への上記突起の係合により、一方向へ回動して、槌を上記槌部にて開閉扉と透明板との間に進入させ、その後の開閉扉の前進に伴い、軸状部材は、上記蛇行状溝部の上記湾曲状溝部よりも前方部位内への上記突起の係合により、他方向へ回動して、上記槌部を開閉扉と透明板との間の外側に戻すようにしたことを特徴とする。
【００２１】
このように、請求項３の記載とは異なり、軸状部材が、突起を延出させ、開閉扉の左右方向一側部が湾曲状溝部を有する蛇行状溝部を具備するようにしても、請求項３に記載の発明と同様の作用効果を達成することができる。
【００２２】
また、本発明は、請求項５の記載によれば、請求項２〜４のいずれか１つに記載の可変入賞口装置において、
上記所定距離は、遊技球の外径の±１０％の範囲内に相当する距離であることを特徴とする。
【００２３】
これによれば、開閉扉の前進過程においてその前縁部が透明板の裏面から後方へ遊技球の外径の±１０％の範囲内に相当する距離に達したときに、これに先立ち、開閉扉の前縁部と透明板の裏面との間に噛み込まれる遊技球を、槌部により、タイミングよく、開閉扉の前縁部と透明板の裏面との間から押し出して、上記噛み込みから解消させ得る。
【００２４】
また、本発明に係るパチンコ遊技機は、請求項６の記載によれば、
請求項１〜５のいずれか１つに記載の可変入賞口装置（ＡＴ）を備えて、
当該可変入賞口装置を前記遊技盤にその盤面側から設けるようにしたものである。
【００２５】
これによれば、請求項１〜５のいずれか１つに記載の発明の作用効果を達成し得るパチンコ遊技機の提供が可能となる。
【発明の効果】
【００２６】
本発明によれば、軸状部材及び開閉扉の上記左右方向一側部が、その各対向部位にて、開閉扉の前進に伴い軸状部材を回動させるように構成されることから、槌が、その槌部にて、開閉扉の前進過程において、開閉扉と透明板との間に進入することとなる。
【００２７】
従って、槌部の開閉扉と透明板との間への進入に先立ち、落下する遊技球が開閉扉と透明板との間に噛み込まれても、当該遊技球は、開閉扉と透明板との間に進入する槌部により、開閉扉と上記透明板との間から押し出されて、上記噛み込みから解消され得る。
【００２８】
なお、上記各手段の括弧内の符号は、後述する実施形態に記載の具体的手段との対応関係を示す。
【図面の簡単な説明】
【００２９】
【図１】本発明が適用されるパチンコ遊技機の第１実施形態を示す正面図である。
【図２】上記第１実施形態における遊技盤の正面図である。
【図３】上記第１実施形態におけるアタッカーを、前進完了位置にある開閉扉との関係において示す拡大斜視図である。
【図４】図３におけるアタッカーの平面図である。
【図５】図３におけるアタッカーの槌機構を入賞口部材と共に示す部分拡大斜視図である。
【図６】図３におけるアタッカーの板状入賞口部材を示す斜視図である。
【図７】図３におけるアタッカーの入賞口部材を除いた構成を示す分解斜視図である。
【図８】上記第１実施形態におけるアタッカーを、後退完了位置にある開閉扉との関係にて示す斜視図である。
【図９】上記第１実施形態におけるアタッカーを、後退完了位置にある開閉扉との関係にて示す平面図である。
【図１０】上記第１実施形態におけるアタッカーにおいて開閉扉が後退完了位置にあるときの槌機構の拡大斜視図である。
【図１１】上記第１実施形態におけるアタッカーを、開閉扉の所定距離まで前進したときの状態にて示す斜視図である。
【図１２】上記第１実施形態におけるアタッカーを、開閉扉の所定距離まで前進したときの状態にて示す平面図である。
【図１３】図１１における槌機構と開閉扉の左壁部との関係を示す部分拡大斜視図である。
【図１４】上記第１実施形態におけるアタッカーを、開閉扉の所定距離への到達後さらに前進したときの状態にて示す斜視図である。
【図１５】上記第１実施形態におけるアタッカーを、開閉扉の所定距離への到達後さらに前進したときの状態にて示す平面図である。
【図１６】図１４における槌機構と開閉扉の左壁部との関係を示す拡大斜視図である。
【図１７】本発明の第２実施形態の要部を示す斜視図である。
【発明を実施するための形態】
【００３０】
以下、本発明の各実施形態を図面により説明する。
（第１実施形態）
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。
【００３１】
なお、前扉ＦＤは、図１にて示すごとく、前枠ＦＤ１の中空部に窓ガラスＦＤ２を嵌め込んで構成されている。また、当該パチンコ遊技機は、いわゆる右打ちタイプのデジパチ型パチンコ遊技機からなるもので、図１において、図示左右方向が、当該パチンコ遊技機の左右方向に対応し、図示奥行き方向が、当該パチンコ遊技機の前後方向に対応し、また、図示上下方向が、当該パチンコ遊技機の上下方向に対応する。
【００３２】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体が上記機枠によって支持されており、上記機枠に対して前後方向へ開閉可能とされている。
【００３３】
また、当該遊技機本体Ｂは、ガイドレール２０、環状のセンター構造物３０及び遊技釘群４０を備えている。ガイドレール２０は、図２にて示すごとく、遊技盤１０の盤面１１の外周部に沿い配設されており、このガイドレール２０は、その内周側において、遊技盤１０の盤面１１上に遊技領域１１ａを形成する。
【００３４】
しかして、当該ガイドレール２０は、操作ハンドルＨの図１にて図示時計方向への回動操作により、球発射装置（図示しない）から発射される遊技球を遊技領域１１ａの左側上部内に案内する。なお、上記球発射装置は、遊技機本体Ｂの上記枠体の右下部に配設されている。また、操作ハンドルＨは、上記球発射装置の一構成部品として遊技機本体Ｂの上記枠体の右下部にその前面から設けられている。
【００３５】
ここで、当該球発射装置は、操作ハンドルＨの回動角度に応じた打球力でもって、ガイドレール２０に沿い遊技球を所定の時間間隔にて順次発射するように構成されている。なお、操作ハンドルＨの回動角度は、所定回動角度以下に規制されている。
【００３６】
しかして、操作ハンドルＨの回動角度を、上記所定回動角度の最大値（最大回動角度）にすれば、遊技球は、操作ハンドルＨの最大の打球力でもって、ガイドレール２０に沿い発射されて、センター構造物３０の右側へ転動する。以下、このように操作ハンドルＨをその最大回動角度まで回動する操作を、右打ち操作という。
【００３７】
なお、遊技領域１１ａの一部を構成する遊技球通路１１ｂが、センター構造物３０の右側部とガイドレール２０との間に形成されている。このため、最大の発射速度で発射された遊技球がガイドレール２０の内周面に沿って移動し遊技球通路１１ｂへと案内されると、この遊技球は、遊技球通路１１ｂを通過した後、センター構造物３０の右下方へと落下していく。
【００３８】
また、操作ハンドルＨの回動角度を中間回動角度にすれば、遊技球は、センター構造物３０の右側に達することなく左側へ転動する。以下、このように操作ハンドルＨをその中間回動角度まで回動する操作を、左打ち操作という。
【００３９】
以上のように、右打ちタイプのパチンコ遊技機は、通常遊技状態では、遊技者による左打ち操作のもとに、遊技球の発射速度を低く抑えて遊技球をセンター構造物３０の左側へ誘導するようにし、また、遊技者に対して有利な遊技状態となる特定遊技状態（大当たりなど）の発生時には、遊技者による右打ち操作のもとに、遊技球の発射速度を最大にして、遊技球をセンター構造物３０の右側へ誘導し、遊技球通路１１ｂを通過して、アタッカーＡＴへの入賞の機会及び右側スルーゲート７０ｂの通過の機会を形成する。
【００４０】
このように、右打ちタイプのパチンコ遊技機は、通常遊技状態と特定遊技状態とで、遊技者に対して、異なる操作ハンドルの操作を行わせて遊技させるタイプのパチンコ遊技機である。
【００４１】
センター構造物３０は、図２にて示すごとく、遊技盤１０の中央開口部の外周部に盤面１１側から組み付けられている。遊技釘群４０は、多数の遊技釘４１からなるもので、当該多数の遊技釘４１は、ガイドレール２０の内周側において、センター構造物３０の左上側から左下側を介し右下側にかけて、遊技盤１０にその盤面１１側から分散して打ち込まれている。
【００４２】
しかして、遊技釘群４０によれば、ガイドレール２０から遊技領域１２の左側上部内に順次案内される遊技球は、遊技盤１０の盤面１１に沿い、各遊技釘４１との衝突を経て、下方へ転動する。
【００４３】
また、当該遊技機本体Ｂは、画像表示器５０を備えており、この画像表示器５０は、その表示面である液晶パネル５１にて、遊技盤１０の中央開口部から前方を臨むように、遊技盤１０にその裏面側から配設されている。
【００４４】
しかして、この画像表示器５０は、表示制御装置（図示しない）による制御のもと、当該パチンコ遊技機による遊技の進行に伴い、大当たり抽選の結果を複数の装飾図柄により表示したり、或いは、リーチ演出として各種の動画像を表示する等の種々の演出表示を行う。
【００４５】
また、当該遊技機本体Ｂは、第１始動口装置であるスタートチャッカー６０ａ、第２始動口装置である電動チューリップ６０ｂ、左右両側スルーゲート７０ａ、７０ｂ、風車８０、複数（３つ）の普通入賞口９０、表示器群１００、及び大入賞口装置であるアタッカーＡＴを備えており、スタートチャッカー６０ａ、電動チューリップ６０ｂ、左右両側スルーゲート７０ａ、７０ｂ、風車８０、各普通入賞口９０及びアタッカーＡＴは、センター構造物３０とともに、左打ち操作による遊技球をスタートチャッカー６０ａに入賞させ易いように、かつ、右打ち操作による遊技球をスタートチャッカー６０ａに入賞させにくいように、図２に示す各配置位置にて、遊技盤１０の盤面１１に遊技領域１１ａ内にて組み付けられている。
【００４６】
ここで、スタートチャッカー６０ａは、センター構造物３０の下縁中央部の直下に位置しており、このスタートチャッカー６０ａは、その左右周辺に位置する複数の遊技釘４１（いわゆる道釘４１）により案内される遊技球やセンター構造物３０のステージ上から落下する遊技球に対し、入賞（始動入賞）の機会を与える。
【００４７】
また、当該スタートチャッカー６０ａは、その遊技球の入賞に基づき、所定個数の賞球を払い出すとともに大当たり抽選の機会を形成する。なお、上記大当たり抽選は、当落抽選ともいい、遊技球の大量獲得を目的とする長当たり、遊技球の大量獲得を目的としない短当たり、遊技球の大量獲得を目的としない小当たり、遊技球の獲得を不能にするハズレのいずれであるかにつき抽選することをいう。
【００４８】
電動チューリップ６０ｂは、普通電動役物としての役割を果たすべく、スタートチャッカー６０ａの直下に位置しており、この電動チューリップ６０ｂは、その左右両側羽根部材の閉動作により、遊技球に対し入賞の機会を与える。また、当該電動チューリップ６０ｂは、上記左右両側羽根部材の開動作により、遊技球に対する入賞の機会を増大させる。なお、電動チューリップ６０ｂは、スタートチャッカー６０ａと同様の遊技球の始動入賞口装置としての役割をも兼ね、所定個数の賞球の払い出すととともに大当たり抽選の機会を形成する。
【００４９】
左右両側スルーゲート７０ａ、７０ｂのうち、左側スルーゲート７０ａは、図２にて示すごとく、センター構造物３０の左縁中央部の左側に位置している。これにより、操作ハンドルＨの左打ち操作によりセンター構造物３０の左側上部に案内された遊技球が当該左側スルーゲート７０ａの直上から遊技盤１０の盤面１１に沿い下方へ転動するとき、当該遊技球は左側スルーゲート７０ａを通過する機会を得る。なお、遊技球の左側スルーゲート７０ａの通過でもって、電動チューリップ６０ｂを所定の時間及び所定の回数だけ開放する機会を与えるための普通図柄の抽選が開始される。
【００５０】
一方、右側スルーゲート７０ｂは、図２にて示すごとく、センター構造物３０の右下側隅角部の右斜め下側に位置している。これにより、操作ハンドルＨの右打ち操作によりセンター構造物３０の右側上部内に案内された遊技球が遊技盤１０の盤面１１に沿い下方へ転動するとき、当該遊技球は右側スルーゲート７０ｂを通過する機会を得る。なお、遊技球の右側スルーゲート７０ｂの通過でもって、電動チューリップ６０ｂを所定の時間及び所定の回数だけ開放する機会を与えるための普通図柄の抽選が開始される。
【００５１】
風車８０は、左側スルーゲート７０ａの下方に位置しており、この風車８０は、遊技盤１０の盤面１１に沿い左側スルーゲート７０ａ或いはその周囲から下方へ転動する遊技球により衝突されたとき、回転しつつ当該遊技球を下方へ転動させる。
【００５２】
複数（３つ）の普通入賞口９０は、スタートチャッカー６０ａの左側に位置しており、これら各普通入賞口９０は、その直上から下方へ転動する遊技球に対し入賞の機会を与える。ここで、普通入賞口９０への遊技球の入賞に伴い、所定個数の賞球が払い出される。
【００５３】
表示器群１００は、図２にて示すごとく、遊技盤１０の右下隅角部にその前面側から配設されており、この表示器群１００は、普通図柄表示器、普通図柄保留器、特別図柄表示器及び特別図柄保留器でもって構成されている。
【００５４】
ここで、上記普通図柄表示器は、普通図柄を変動表示してこの普通図柄の変動表示の終了に伴い当該普通図柄の抽選結果を表示する。上記普通図柄保留器は、普通図柄の変動表示の保留数を表示する。
【００５５】
上記特別図柄表示器は、スタートチャッカー６０ａへの遊技球の入賞或いは電動チューリップ６０ｂへの遊技球の入賞に伴いなされる大当たり抽選の結果に基づき、特別図柄を変動表示して、この特別図柄の変動表示の終了に伴い大当たり抽選の結果を表示する。また、上記特別図柄保留器は、特別図柄の変動表示の保留数を表示する。
【００５６】
アタッカーＡＴは、図２にて示すごとく、電動チューリップ６０ｂの右斜め上方及び右側スルーゲート７０ｂの左斜め下方に位置するように、遊技盤１０にその盤面１１側から組み付けられている。
【００５７】
当該アタッカーＡＴは、図３に示すごとく、大入賞口機構であるアタッカー本体２００と、このアタッカー本体２００に付設してなる槌機構３００とにより構成されている。
【００５８】
アタッカー本体２００は、遊技盤１０の右側下部に組み付けられており、このアタッカー本体２００は、図３、図４、図６〜図８のいずれかにて示すごとく、板状入賞口部材２１０と、開閉扉２２０と、駆動機構（図示しない）とを備えている。
【００５９】
板状入賞口部材２１０は、遊技盤１０にその盤面１１側から前方へ突設されている。この板状入賞口部材２１０は、図６にて例示するごとく、凹所２１１を有しており、この凹所２１１は、板状入賞口部材２１０の左右方向中間部位にその上面から凹状に形成されている。
【００６０】
当該凹所２１１は、両底壁部２１１ａ、２１１ｂからなる階段状底壁及び左右両壁２１１ｃでもって、略コ字状に形成されて上方に向け上側開口部として開口している。ここで、両底壁部２１１ａ、２１１ｂのうち、底壁部２１１ａは、底壁部２１１ｂの右側に位置しており、この底壁部２１１ａは、その内面にて、右壁２１１ｃから底壁部２１１ｂに向けて傾斜するように形成されている。これにより、この底壁部２１１ａは、凹所２１１内に上方から落下する遊技球を受承して底壁部２１１ｂに向けて案内する。
【００６１】
底壁部２１１ｂは、その内面にて、その前縁部から後縁部にかけて傾斜するように形成されており、この底壁部２１１ｂは、底壁部２１１ａにより案内される遊技球を後側開口部２１２（後述する）に向けて案内するとともに、凹所２１１内に上方から落下する遊技球を直接受承して後側開口部２１２に向けて案内する。
【００６２】
左壁２１１ｃは、底壁部２１１ｂの左端部からＬ字状に上方へ屈曲して延出するように形成されており、一方、右壁２１１ｃは、底壁部２１１ａの右端部からＬ字状に上方へ屈曲して延出するように形成されている。
【００６３】
ここで、凹所２１１は、前壁２１１ｄを有しており、この前壁２１１ｄは、凹所２１１の上記階段状底壁の後縁部からＬ字状に上方へ屈曲して延出するように形成されている。これにより、当該前壁２１１ｄは、遊技球を、凹所２１１の上記階段状底壁の各上面から前方へ落下させない役割を果たす。なお、前壁２１１ｄは、その上端部にて、左壁２１１ｃから右壁２１１ｃにかけて下方に向け傾斜している。
【００６４】
また、凹所２１１は、両後壁部２１１ｅ、２１１ｆからなる後壁を有しており、後壁部２１１ｅは、底壁部２１１ａの後縁部からＬ字状に上方へ屈曲して延出するように形成されている。これにより、当該後壁部２１１ｅは、底壁部２１１ａの上面から後方へ落下させない役割を果たす。
【００６５】
後壁部２１１ｆは、後壁部２１１ｅの左端部から後方へ傾斜状に延出してなるもので、この後壁部２１１ｆは、後述のように後側開口部２１２からの遊技球を後方へ案内する役割を果たす。
【００６６】
後側開口部２１２は、凹所２１１内に進入した遊技球を排出する役割を果たすもので、この後側開口部２１２は、凹所２１１において左壁２１１ｃ、底壁部２１１ｂ及び後壁部２１１ｅの左端部の間に形成されている。これにより、凹所２１１内において底壁部２１１ｂにより案内される遊技球が、後側開口部２１２を通りその後方へ後壁部２１１ｆにより案内されて転動する。なお、遊技球が後側開口部２１２を通るとき、当該遊技球は、大入賞口センサにより検出される。この検出結果に基づき、遊技制御回路（図示しない）にて大当たり抽選等の処理がなされる。
【００６７】
開閉扉２２０は、遊技盤１０の上記右側下部に形成されたアタッカー用開口部（図示しない）内に板状入賞口部材２１０の凹所２１１の上側開口部（大入賞口に相当する）に沿い前後方向に移動可能に設けられているもので、この開閉扉２２０は、その後退により、上記アタッカー用開口部内に収容されるように移動し、その前進により、上記アタッカー用開口部から脱出するように移動するようになっている。
【００６８】
なお、本第１実施形態において、開閉扉２２０が上記アタッカー用開口部内に収容されたとき、当該開閉扉２２０は、その前縁部にて、遊技盤１０の盤面１１と同一面内に位置するようになっている。また、当該開閉扉２２０が上記アタッカー用開口部から脱出したとき、この開閉扉２２０の前縁部２２５と前扉ＦＤのガラス板ＦＤ２の裏面との間の距離は、遊技球の外径（例えば、１１（ｍｍ））よりも狭い。一方、当該開閉扉２２０が上記アタッカー用開口部内に収容されているとき、開閉扉２２０の前縁部２２５と前扉ＦＤのガラス板ＦＤ２の裏面との間の距離は、例えば、２５（ｍｍ）と長い。
【００６９】
ここで、開閉扉２２０は、扉本体部２２０ａと、左右両壁部２２１、２２２とを備えており、扉本体部２２０ａは、略四角形の平板状に形成されている。左右両壁部２２１、２２２は、それぞれ、扉本体部２２０ａの左右両端部から下方へＬ字状に屈曲するように延出している。
【００７０】
しかして、当該開閉扉２２０は、その左右両壁部２２１、２２２にて、案内壁部２１３（後述する）の右端部上及び凹所２１１の右壁２１１ｃの上端部上に前後方向へ移動可能に上記駆動機構により支持されている。このことは、開閉扉２２０は、凹所２２１の上記上側開口部に沿い移動可能に支持されていることを意味する。なお、扉本体部２２０ａは、その上面にて、右壁部２２２側から左壁部２２１側にかけて下方に向け傾斜しており、開閉扉２２０の右壁部２２２は、その上面にて、案内壁部２１４（後述する）と一致している。
【００７１】
しかして、開閉扉２２０は、上記駆動機構により前進或いは後退するように駆動されて、上記アタッカー用開口部から脱出して前進完了位置（図３及び図４参照）にあるとき、扉本体部２２０ａにより凹所２１１の上記上側開口部を閉じ、上記アタッカー用開口部内に収容されて後退完了位置（図８及び図９参照）にあるとき、扉本体部２２０ａにより凹所２１１の上記上側開口部を開く。
【００７２】
このことは、開閉扉２２０は、凹所２１１の上記上側開口部を閉じ、凹所２１１の上記上側開口部を開くことで、アタッカーＡＴに向けて落下してきた遊技球を凹所２１１内にその上側開口部を通し進入させ得ることを意味する。なお、上記駆動機構は、電磁式アクチュエータを主たる構成要素として、開閉扉２２０を前進或いは後進させるように構成されている。
【００７３】
上述した両案内壁部２１３、２１４は、それぞれ、板状入賞口部材２１０の上面のうち凹所２１１の左右両側上面部でもって構成されている。このため、閉状態にある開閉扉２２０の扉本体部２２０ａ上に落下した遊技球は、扉本体部２２０ａの上面に沿い案内壁部２１３上に転動した後この案内壁部２１３によりアウト口（図示しない）に向けて案内される。一方、閉状態にある開閉扉２２０の扉本体部２２０ａ上に落下して案内壁部２１４上に転動する遊技球は、案内壁部２１４により上記アウト口に向けて案内される。
【００７４】
槌機構３００は、槌部材３００ａからなるもので、この槌部材３００ａは、軸状部材３１０と、槌３２０とを備えている。軸状部材３１０は、円柱状或いは円筒状のもので、当該軸状部材３１０は、その軸にて、開閉扉２２０の左壁部２２１の近傍にて当該左壁部２２１に平行に位置するように、板状入賞口部材２１０にその案内壁部２１３側から左右方向に回動自在に支持されている。ここで、軸状部材３１０は、その軸方向両端部にて、両軸受け板２１３ａにより板状入賞口部材２１０の案内壁部２１３側部位に回動自在に支持されている。
【００７５】
軸状部材３１０は、図１３にて例示するごとく、蛇行状溝部３１１を有しており、この蛇行状溝部３１１は、後述のように開閉扉２００の左壁部２２１から左方へ延出する係合ピン２２１ａにより係合されるべく、軸状部材３１０の外周面に沿いその前後方向に向けて蛇行状となるように形成されている。詳細には、蛇行状溝部３１１は、後側直線状溝部３１１ａ、中側湾曲状溝部３１１ｂ及び前側直線状溝部３１１ｃを有するように、軸状部材３１０の外周面に沿い蛇行状となるように横断面コ字状にて形成されている。
【００７６】
但し、中側湾曲状溝部３１１ｂは、軸状部材３１０の外周面の前後方向中間部位にて、当該外周面に沿い下方へ凸な緩やかな湾曲状に形成されている。ここで、当該中側湾曲状溝部３１１ｂは、その前後方向中央部にて下方へ最も大きく湾曲するように形成されている。
【００７７】
また、後側直線状溝部３１１ａは、中側湾曲状溝部３１１ｂの後端部から軸状部材３１０の外周面に沿い後方へ直線状に形成されており、前側直線状溝部３１１ｃは、後側直線状溝部３１１ａと同一直線上に位置するように、中側湾曲状溝部３１１ｂの前端部から軸状部材３１０の外周面に沿い前方へ直線状に形成されている。また、後側直線状溝部３１１ａ及び前側前後方向中央直線状溝部３１１ｃの各開口幅方向中心を結ぶ線と中側湾曲状溝部３１１ｂの前後方向中央部の開口幅方向中心との間の最大間隔は、後述する槌３２０の原回動位置から最大回動位置への回動角に対応する間隔をいう。
【００７８】
係合ピン２２１ａは、開閉扉２２０の左壁部２２１のうちその前側部位から左方へ延出してなるもので、この係合ピン２２１ａは、その延出端部にて、軸状部材３１０の蛇行状溝部３１１内に相対移動可能に係合している。
【００７９】
しかして、当該軸状部材３１０は、蛇行状溝部３１１の後側直線状溝部３１１ａに対する係合ピン２２１ａの係合のもと、開閉扉２２０の後退完了位置からの前進に伴い、回動することなく、そのままの回動位置（原回動位置）を維持する。また、開閉扉２２０のさらなる前進に伴い、係合ピン２２１ａは、蛇行状溝部３１１の後側直線状溝部３１１ａから解離して中側湾曲状溝部３１１ｂ内に係合することで、当該軸状部材３１０は、上方へ回動する。また、開閉扉２２０のさらなる前進に伴い、係合ピン２２１ａは、蛇行状溝部３１１の中側湾曲状溝部３１１ｂから解離して前側直線状溝部３１１ｃ内に係合することで、当該軸状部材３１０は、下方へ回動し原回動位置に戻る。
【００８０】
槌３２０は、板状のもので、当該槌３２０は、軸状部材３１０にその前端部側にて上下方向に回動可能に支持されている。この槌３２０は、回動基部３２１と、槌部３２２とを有しており、回動基部３２１は、その回動孔部にて、軸状部材３１０の前端部に同軸的に支持されている。これにより、当該回動基部３２１は、軸状部材３１０の軸周りに回動可能となっている。
【００８１】
槌部３２１は、回動基部３２１から下方前側へ傾斜するように延出している。これにより、当該槌部３２１は、回動基部３２１と共に、図３にて図示斜め右側上方に対して、くの字状に凹となるよう形成されている。
【００８２】
しかして、当該槌３２０は、図５にて図示時計方向（或いは図示反時計方向）への回動に伴い、当該図示時計方向（或いは図示反時計方向）に回動する。ここで、当該槌３２０の図３或いは図５にて図示回動位置（原回動位置）が、軸状部材３１０の上記原回動位置に対応する。また、当該槌３２０の槌部３２２が、その先端部３２２ａにて、開閉扉２２０の前縁部２２３の左側部とこれに対するガラス扉ＦＲ２の裏面の対応裏面部との間に進入するときの当該槌３２０の回動位置（最大回動位置）が、軸状部材３１０の最大回動位置に対応する。
【００８３】
以上のように構成した本第１実施形態において、当該パチンコ遊技機では、開閉扉２２０が遊技盤１０の上記アタッカー用開口部内に後退して後退完了位置に維持されているものとする（図１０及び図１１参照）。
【００８４】
このとき、開閉扉２２０は、上記アタッカー用開口部内に収容されて上記入賞口部材２１０の凹所２１１の上記上側開口部を開いている。このことは、アタッカーＡＴが大入賞口を開いた状態にあることを意味する。また、開閉扉２２０が上述のごとく後退完了位置にあるため、係合ピン２２１ａは、軸状部材３１０の蛇行状溝部３１１のうち後側直線状溝部３１１ａにその後部側にて係合している。これに伴い、軸状部材３１０は、原回動位置に維持されて、槌３２０をその原回動位置に維持している（図１０参照）。このことは、槌３２０の槌部３２２は、軸状部材３１０の下方に位置することを意味する。
【００８５】
従って、遊技球が上方から凹所２１１内に落下しようとするとき、当該遊技球は、槌３２０の槌部３２２により邪魔されることなく、凹所２１１内にその大入賞口から入賞し得る。その結果、大入賞口を介する凹所２１１への多数の遊技球の入賞が期待され得る。
【００８６】
このような状態において、開閉扉２２０が、上記駆動機構により駆動されて前進状態におかれると、当該開閉扉２２０は、遊技盤１０の上記アタッカー用開口部から前方へ脱出しつつ入賞口部材２１０の凹所２１１の上記上側開口部を閉じていく。
【００８７】
このような開閉扉２２０の前進過程においては、当該開閉扉２２０は、係合ピン２２１ａを軸状部材３１０の蛇行状溝部３１１の後側直線状溝部３１１ａに沿いて前方へ移動させながら前進する。このような状態では、軸状部材３１０及び槌３２０は共に原回動位置に維持されたままである。
【００８８】
然る後、開閉扉２２０のさらなる前進に伴い、当該開閉扉２２０の前縁部２２５がガラス板ＦＤ２の裏面から後方へ遊技球の外径（例えば、１１（ｍｍ））に相当する距離に達すると、係合ピン２２１ａが、軸状部材３１０の蛇行状溝部３１１において後側直線状溝部３１１ａから解離して中側湾曲状溝部３１１ｂ内に係合する。これに伴い、軸状部材３１０は、その原回動位置から最大回動位置に向けて回動し、槌３２０が、その原回動位置から最大回動位置に向けて回動する（図１１〜図１３参照）。このことは、槌３２０がその先端部３２２ａにて開閉扉２２０の前縁部２２３の左側部とこれに対するガラス板ＦＤ２の裏面の対応裏面部との間に下方から進入することを意味する。
【００８９】
このような進入に先立ち、開閉扉２２０の前縁部２２３がガラス板ＦＤ２の裏面から後方へ遊技球の外径に相当する距離に達したときに、落下による遊技球が開閉扉２２０の前縁部２２３の左側部とガラス板ＦＤ２の裏面との間に噛み込まれると、当該遊技球は、上述のように開閉扉２２０の前縁部２２３とガラス板ＦＤ２の裏面との間に進入する槌部３２２の先端部３２２ａにより、前縁部２２３の左側部とガラス板ＦＤ２の裏面との間から上方へ強制的に押し出される。これにより、当該遊技球の上記噛み込みを解消することができる。
【００９０】
このようにして遊技球の噛み込みが解消されると、開閉扉２２０は、上記駆動機構による駆動のもとに、さらに前進する。これに伴い、係合ピン２２１ａが、軸状部材３１０の蛇行状溝部３１１において中側湾曲状溝部３１１ｂから解離して前側直線状溝部３１１ｂ内に係合する。
【００９１】
これに伴い、軸状部材３１０は、その最大回動位置から原回動位置に向けて回動し、槌３２０が、その最大回動位置から原回動位置に向けて回動する（図１４〜図１６参照）。このことは、槌３２０が軸状部材３１０とともに原回動位置に戻ることを意味する。従って、開閉扉２２０は、槌部３２２により邪魔されることなく、円滑に前進して凹所２１１の上記上側開口部を閉じることができる。
【００９２】
なお、開閉扉２２０を前進完了位置から後退完了位置まで後退させるときの槌機構３００の動作は、上述した開閉扉２２０の前進時の槌機構３００の動作とは反対の動作となる。
【００９３】
以上説明したように、本第１実施形態では、アタッカーＡＴが、アタッカー本体２００と、上述のようにアタッカー本体２００の開閉扉２２０の左壁部２２１の近傍にて係合ピン２２１ａとの関係において設けた槌機構３００とにより構成されている。
【００９４】
従って、開閉扉２２０が後退完了位置にあるときには、当該開閉扉２２０は、遊技盤１０の上記アタッカー用開口部内に収容されて入賞口部材２１０の凹所２１１の上側開口部（大入賞口）を開いている。このため、遊技盤１０の盤面１１に沿い上方からアタッカーＡＴに向けて落下する遊技球は、凹所２１１内にその上側開口部から入賞し易い状態となっている。
【００９５】
このとき、槌部材３００ａは、軸状部材３１０をその蛇行状溝部３１１の後側直線状溝部３１１ａ内への係合ピン２２１ａの係合のもとに原回動位置に維持して槌３２０を原回動位置に維持している。
【００９６】
然る後、開閉扉２２０が、その前縁部２２３にて、ガラス板ＦＤ２の裏面から後方へ遊技球の外径に相当する距離の位置に前進すると、開閉扉２２０の係合ピン２２１ａが、軸状部材３１０の中側湾曲状溝部３１１ｂ内に係合して軸状部材３１０及び槌部材３００ａを共に最大回動位置まで回動して、槌３２０の先端部３２２ａを開閉扉２２０の前縁部２２３の左側部とガラス板ＦＤ２の裏面との間に進入させる。
【００９７】
しかして、このような進入に先立ち、遊技球が開閉扉２２０の前縁部２２３の左側部とガラス板ＦＤ２の裏面との間に噛み込まれると、この遊技球の噛み込みが、上述した槌部材３００ａの先端部３２２ａの進入でもって強制的に解消され得る。
【００９８】
また、このような噛み込みの解消後、開閉扉２２０がさらに前進するが、槌部材３００ａが、開閉扉２２０の前進に伴い、蛇行状溝部３１１の前側直線状溝部３１１ｃ内への係合ピン２２１ａの係合に基づく軸状部材３１０の原回動位置への回動に応じて槌部３２２の先端部３２２ａを下方へ回動させる。
【００９９】
このため、開閉扉２２０は、槌部３２２により邪魔されることなく、前進完了位置に達することができる。
【０１００】
また、上述のように、槌機構３００という機械的構成をアタッカー本体２００に付加することで、開閉扉２２０の前進に連動して槌機構３００が開閉扉２２０の左壁部２２１の係合ピン２２１ａとの関係にて遊技球の噛み込みを解消する。従って、なんらかの電気的構成や電気的制御に依存することなく、単なる機械的構成でもって、上述の遊技球の噛み込みを解消し得る。
（第２実施形態）
図１６は、本発明に係るパチンコ遊技機の第２実施形態の要部を示している。この第２実施形態においては、上記第１実施形態にて述べたアタッカーＡＴにおいて、開閉扉２２０が、その左壁部２２１にて、上記第１実施形態とは異なり、入賞口部材２１０の案内壁部２１３の右端部と凹所２１１の左壁２１１ｃの上端部との間に形成してなるコ字状凹部２１３ｂ内に前後方向に移動可能に支持されている。
【０１０１】
また、上記第１実施形態にて述べた槌機構３００は、上記第１実施形態とは異なり、コ字状凹部２１３ｂ内にて開閉扉２２０の左壁部２２１の左側に設けられている。これに伴い、軸状部材３１０は、その両端部にて、コ字状凹部２１３ａの前後方向両端部に、上記第１実施形態にて述べた両軸受け板２１３ａにより回動自在に支持されている。その他の構成は、上記第１実施形態と同様である。
【０１０２】
このように構成した第２実施形態では、槌機構３００が、開閉扉２２０の左壁部２２１と共に、左壁２１１ｃのコ字状凹部２１３ｂ内に収容されているから、開閉扉２２０上に沿い左側へ転動する遊技球は、槌機構３００により邪魔されることなく、案内壁部２１３上に転動してアウト口は案内され得る。その他の作動及び作用効果は、上記第１実施形態と同様である。
【０１０３】
なお、本発明の実施にあたり、上記実施形態に限ることなく、次のような種々の変形例が挙げられる。
（１）本発明の実施にあたり、上記実施形態にて述べた槌機構３００を開閉扉２２０の右壁部側にも設けるようにしてもよい。この場合、新たな槌機構は、上記実施形態にて述べた槌機構３００に対し対称的な構成を有するようにする。これによれば、開閉扉２２０の左右両側端部とガラス板ＦＤ２との間の遊技球の噛み込みが上記実施形態と同様に解消され得る。なお、これに代えて、上記実施形態にて述べた槌機構３００を開閉扉２２０の右壁部側に設けるようにしてもよい。
（２）本発明の実施にあたり、上記実施形態にて述べたアタッカーＡＴは、上記実施形態とは異なり、一般的な左打ちタイプのパチンコ遊技機と同様に、電動チューリップ６０ｂの直下に設けるようにしてもよい。この場合、アタッカーは、左右方向に水平な開閉扉を備えた構成であってもよい。
（３）本発明の実施にあたり、開閉扉２２０の扉本体２２０ａは、左右両壁部２２１、２２２の各延出長さに相当する厚さを有していてもよい。
（４）本発明の実施にあたり、遊技球の外径は、１１（ｍｍ）に限ることなく、その加工精度や使用による摩耗を考慮して、１１（ｍｍ）±１０（％）の範囲内であってもよい。従って、上述の距離は、１１（ｍｍ）の±１０（％）の範囲内であってもよい。
（５）本発明の実施にあたり、上記第１実施形態とは異なり、開閉扉２２０の左壁部２２１が、軸状部材３１０に対する対向側面に前後方向に沿い形成してなる蛇行状溝部であってその前後方向中間部位にて上記対向側面の下方へ湾曲する湾曲状溝部を有する蛇行状溝部を具備し、また、軸状部材３１０が、その前側部位にて、係合ピンを開閉扉の左壁部の上記蛇行状溝部内に相対的に移動可能に係合するように延出させてなるようにいてもよい。
【０１０４】
これによれば、開閉扉２２０の前進過程において、軸状部材３１０は、その係合ピンにて、開閉扉２２０の上記蛇行状溝部の上記湾曲状溝部よりも後方溝部内に係合して、槌３２０を槌部３２２にて開閉扉２２０とガラス板ＦＤ２との間の外側に位置させ、上記係合ピンにて、開閉扉２２０の上記蛇行状溝部の上記湾曲状溝部内に係合することで一方向へ回動して、槌３２０を槌部３２２にて開閉扉２２０とガラス板ＦＤ２との間に進入させ、その後の開閉扉２２０の前進に伴い、軸状部材３１０は、その係合ピンにて、開閉扉２２０の蛇行状溝部の上記湾曲状溝部よりも前方溝部内に係合することで他方向へ回動して、槌部３２２を開閉扉２２０とガラス板ＦＤ２との間の外側に戻す。その結果、上記第１実施形態と同様の作用効果を達成することができる。
（６）本発明の実施にあたり、軸状部材３１０に向けて開閉扉２２０の左壁部２２１から延出する係合ピン２２１ａは、これに限ることなく、突起であればよい。
（７）本発明の実施にあたり、軸状部材３１０の蛇行状溝部３１１において、中側溝部３１１ｂは、上記実施形態とは異なり、軸状部材３１０の外周面に沿い上記実施形態とは逆方向に湾曲していてもよい。これによれば、槌３２０は、槌部３２２にて、開閉扉２２０の上方からその前縁部２２３とガラス板ＦＤ２との間に進入可能となる。
（８）本発明の実施にあたり、アタッカーＡＴに限ることなく、一般的には、遊技盤１０の盤面に設けられる可変入賞口装置に本発明を適用してもよい。
【符号の説明】
【０１０５】
ＡＴ…アタッカー、ＦＤ…前扉、ＦＤ２…ガラス板、１０…遊技盤、
１１…盤面、２１０…入賞口部材、２１１…凹所、２２０…開閉扉、
２２１…左壁部、２２１ａ…係合ピン、２２３…前縁部、３１０…軸状部材、
３１１…蛇行溝部、３１１ｂ…中側湾曲状溝部、３２０…槌、３２２…槌部。
【図１】
2012045141.tif 000003
【図２】
2012045141.tif 000004
【図３】
2012045141.tif 000005
【図４】
2012045141.tif 000006
【図５】
2012045141.tif 000007
【図６】
2012045141.tif 000008
【図７】
2012045141.tif 000009
【図８】
2012045141.tif 000010
【図９】
2012045141.tif 000011
【図１０】
2012045141.tif 000012
【図１１】
2012045141.tif 000013
【図１２】
2012045141.tif 000014
【図１３】
2012045141.tif 000015
【図１４】
2012045141.tif 000016
【図１５】
2012045141.tif 000017
【図１６】
2012045141.tif 000018
【図１７】
2012045141.tif 000019